(57)【要約】【課題】複数のディスプレイで構成されるシステムにライトペン入力方式が利用される場合に、ライトペンによる入力結果が表示されるべきディスプレイを特定可能にするディスプレイ識別システム、およびディスプレイを提供する。【解決手段】表示装置識別システム１は、光源１３０を有する複数の表示装置１００と、表示装置１００を識別する識別装置２００と、を有する。表示装置１００は、光源１３０の駆動信号に、表示装置１００ごとに異なる特定信号を合成することにより、光源１３０の出力光を視聴者が認識できない範囲で輝度変調する変調部１２０を有する。識別装置２００は、輝度変調された光信号を受信する受信部２１０ｂと、受信部２１０ｂにより受信された光信号に基づき、表示装置１００を識別する識別部２４０と、有する。【選択図】図１
2014041540.tif 000002
【特許請求の範囲】
【請求項１】
光源を有する複数の表示装置と、前記表示装置を識別する識別装置と、を有する表示装置識別システムであって、
前記表示装置は、前記光源の駆動信号に、前記表示装置ごとに異なる特定信号を合成することにより、前記光源の出力光を視聴者が認識できない範囲で輝度変調する変調部を有し、
前記識別装置は、
前記輝度変調された光信号を受信する受信部と、
前記受信部により受信された光信号に基づき、前記表示装置を識別する識別部と、を有する表示装置識別システム。
【請求項２】
前記変調部は、前記特定信号として、前記表示装置ごとに異なる周波数の正弦波信号を用いる請求項１に記載の表示装置識別システム。
【請求項３】
前記変調部は、前記特定信号として、前記表示装置ごとに異なる符号で変調された信号を用いる請求項１に記載の表示装置識別システム。
【請求項４】
前記変調部は、前記特定信号として、前記表示装置ごとに異なるＩＤ番号で変調された信号を用いる請求項１に記載の表示装置識別システム。
【請求項５】
前記識別部は、前記受信部により受信された光信号の周波数成分を分析することによって、前記表示装置を識別する請求項１〜４のいずれか１項に記載の表示装置識別システム。
【請求項６】
前記識別装置は、ライトペン、携帯端末、リモートコントローラーのいずれかにより構成される請求項１〜５のいずれか１項に記載の表示装置識別システム。
【請求項７】
前記識別装置は、識別した前記表示装置に特有の情報を付加して、識別した前記表示装置を操作するための操作信号を送信する送信部をさらに有する請求項１〜６のいずれか１項に記載の表示装置識別システム。
【請求項８】
識別装置によって識別される表示装置であって、
光源と、
前記光源の駆動信号に、前記識別装置と通信可能な範囲にある他の表示装置とは異なる特定信号を合成することにより、前記光源の出力光を視聴者が認識できない範囲で輝度変調する変調部と、を有する表示装置。
【請求項９】
前記変調部は、前記特定信号として、前記他の表示装置とは異なる周波数の正弦波信号を用いる請求項８に記載の表示装置。
【請求項１０】
前記変調部は、前記特定信号として、前記表示装置ごとに異なる符号で変調された信号を用いる請求項８に記載の表示装置。
【請求項１１】
前記変調部は、前記特定信号として、前記表示装置ごとに異なるＩＤ番号で変調された信号を用いる請求項８に記載の表示装置。
【発明の詳細な説明】
【技術分野】
【０００１】
本発明は、表示装置識別システム、および表示装置に関する。
【背景技術】
【０００２】
近年、携帯型の電子機器の増加に伴い、キーボード、マウスのような既存の入力方式の他に、指やタッチ用ペンで画面をタッチすることにより入力を遂行するタッチスクリーン入力方式が広く利用され始めている。
【０００３】
タッチ用ペンの一種として、カメラを搭載したライトペンがある。ライトペンは、あらかじめディスプレイ上に形成された特定のパターンを受光する。受光結果によって、ライトペンの位置を検出でき、文字入力等が可能になる。ここで、特定のパターンは、たとえば、赤外線を吸収する点（ドット）形状の塗料が、ディスプレイ上に所定の規則で配置されて形成される。
【０００４】
また、あらかじめディスプレイ上にパターンを形成しておく代わりに、ディスプレイを複数のブロックに分割して、ブロックごとに異なる色で発光させ、その光をライトペンで受信することによってライトペンの位置を検出するものもある（例えば、特許文献１）。
【０００５】
いずれの方法にせよ、ライトペンを利用した入力方式（以下では、「ライトペン入力方式」とよぶ）を用いれば、ディスプレイ上におけるライトペンの位置を正確に検出できる。そのため、近年では、ライトペン入力方式は、複数のディスプレイを並べて構成された大画面の電子黒板にも利用されている。
【先行技術文献】
【特許文献】
【０００６】
【特許文献１】特開２００３−０１５８２０号公報
【発明の概要】
【発明が解決しようとする課題】
【０００７】
しかし、通常、同一機種のディスプレイであれば、ライトペンの位置を検出するためのパターンについても同一のものが形成される。また、特許文献１に記載のディスプレイに関しても、同一機種であれば、ライトペンの位置を検出する際にブロックごとに発光させる色は同一となる。
【０００８】
したがって、同一機種のディスプレイが複数並べられて構成される電子黒板においては、各ディスプレイを区別する手段がなく、ライトペン入力方式が利用される場合には、ライトペンによる入力結果が表示されるべきディスプレイを特定できない。
【０００９】
本発明は、上記事情に鑑みてなされたものであり、複数のディスプレイで構成されるシステムにライトペン入力方式が利用される場合に、ライトペンによる入力結果が表示されるべきディスプレイを特定可能にするディスプレイ識別システム、およびディスプレイを提供することを目的とする。
【課題を解決するための手段】
【００１０】
上記課題を解決するために、本発明に係る表示装置識別システムは、光源を有する複数の表示装置と、前記表示装置を識別する識別装置と、を有し、前記表示装置は、前記光源の駆動信号に、前記表示装置ごとに異なる特定信号を合成することにより、前記光源の出力光を視聴者が認識できない範囲で輝度変調する変調部を有し、前記識別装置は、前記輝度変調された光信号を受信する受信部と、前記受信部により受信された光信号に基づき、前記表示装置を識別する識別部と、を有する。
【発明の効果】
【００１１】
本発明によれば、ディスプレイのバックライトを駆動する信号に、ディスプレイごとに異なる特定信号を合成できる。これにより、バックライトの出力光は輝度変調される。そして、この輝度変調された光信号をライトペンにより解析することによって、ライトペンが指しているディスプレイを特定できる。当然ながら、複数のディスプレイからなる電子黒板においても、ライトペンが指しているディスプレイを正確に特定でき、ライトペンによる入力結果は、正確に特定されたディスプレイに表示される。
【００１２】
上記した以外の課題、構成、および効果は、以下の実施形態の説明により明らかにされる。
【図面の簡単な説明】
【００１３】
【図１】表示装置識別システムのハードウェア構成の一例を示すブロック図である。
【図２】ディスプレイの表面に形成されるパターンの一例を示す図である。
【図３】バックライト変調回路の詳細な構成の一例を示すブロック図である。
【図４】正弦波信号発生回路において発生する正弦波信号の周波数スペクトル例を示すグラフである。
【図５】識別装置で受光される光信号の周波数スペクトル例を示すグラフである。
【図６】ディスプレイＩＤにより周波数変調されたバックライト（光信号）の例を示す図である。
【図７】ディスプレイＩＤにより位相変調されたバックライト（光信号）の例を示す図である。
【発明を実施するための形態】
【００１４】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１５】
＜システム全体＞
図１は、本実施形態にかかる表示装置識別システム１のハードウェア構成の一例を示すブロック図である。
【００１６】
図１に示されるとおり、表示装置識別システム１は、複数の表示装置１００と、表示装置１００を識別する識別装置２００と、を有している。
【００１７】
図示する例では、３台の表示装置１００、すなわち、第１表示装置１００ａと、第２表示装置１００ｂと、第３表示装置１００ｃと、が並べて配置されて、大画面の電子黒板（ＩＷＢ：Ｉｎｔｅｒａｃｔｉｖｅ  ＷｈｉｔｅＢｏａｒｄ）が形成されている。
【００１８】
識別装置２００は、たとえば、ライトペンのようなポインティングデバイスであり、先端部分が向けられた先の表示装置１００を識別するとともに、その表示装置１００における識別装置２００の位置や動きを特定する。
【００１９】
このような表示装置識別システム１を用いれば、ユーザーが識別装置２００を手に持って電子黒板上に文字を書くかのように移動させるだけで、識別装置２００の先端部分が向けられている先の表示装置１００に当該文字を表示させることができる。
【００２０】
以下、表示装置識別システム１を構成する表示装置１００および識別装置２００の具体的なハードウェア構成について説明する。ただし、３台の表示装置１００ａ、１００ｂ、１００ｃは、一部の点を除いて同様の構成を有するため、以下では、代表して第１表示装置１００ａについてのみ説明する。
【００２１】
＜表示装置１００＞
まずは、表示装置１００について説明する。
【００２２】
第１表示装置１００ａは、図１に示されるとおり、正弦波信号発生回路１１０ａと、バックライト変調回路１２０ａと、バックライト１３０ａと、ディスプレイ１４０ａと、を有する。
【００２３】
正弦波信号発生回路１１０ａは、電子黒板を構成する他の表示装置（図示する例では、第２表示装置１００ｂおよび第３表示装置１００ｃ）とは異なる特徴を有する特定信号を発生する回路である。たとえば、第１表示装置１００ａに設けられる正弦波信号発生回路１１０ａは、第１周波数ｆ１の正弦波信号を発生する。
【００２４】
なお、第２表示装置１００ｂに設けられる正弦波信号発生回路１１０ｂは、第１周波数ｆ１とは異なる第２周波数ｆ２（たとえば、ｆ１＜ｆ２）の正弦波信号を発生する。また、第３表示装置１００ｃに設けられる正弦波信号発生回路１１０ｃは、第１周波数ｆ１および第２周波数ｆ２のいずれとも異なる第３周波数ｆ３（たとえば、ｆ２＜ｆ３）の正弦波信号を発生する。
【００２５】
また、第１周波数ｆ１、第２周波数ｆ２、第３周波数ｆ３は、その周波数で輝度変化する光を視聴者が認識できない範囲の値に設定される。たとえば、各周波数ｆ１、ｆ２、ｆ３は、１［ＫＨｚ］以上に設定される。また、各周波数ｆ１、ｆ２、ｆ３は、後述するバックライトが動作可能な範囲として、たとえば、１０［ＭＨｚ］以下に設定される。ただし、これらの各周波数ｆ１、ｆ２、ｆ３の下限値、上限値は、ディスプレイ１４０ａ、１４０ｂ、１４０ｃに液晶ディスプレイを採用する場合の値であり、採用するディスプレイに応じて変更してよい。たとえば、ディスプレイ１４０ａ、１４０ｂ、１４０ｃに有機ＥＬ（Ｅｌｅｃｔｒｏ  Ｌｕｍｉｎｅｓｃｅｎｃｅ）ディスプレイを採用する場合には、各周波数ｆ１、ｆ２、ｆ３は、数１００［ＫＨｚ］以上、１［ＭＨｚ］以下の値としてもよい。
【００２６】
バックライト変調回路１２０ａは、後述するバックライト１３０ａから出力させる光について輝度変調する。具体的には、バックライト変調回路１２０ａは、バックライト１３０ａを駆動するための駆動信号に、正弦波信号発生回路１１０ａにより生成された特定信号（たとえば、周波数ｆ１の正弦波信号）を合成することによって、バックライト１３０ａから出力させる光について輝度変調できる。
【００２７】
バックライト１３０ａは、ディスプレイの背面に設置され、液晶を照明する光源である。たとえば、バックライト１３０ａには、ＬＥＤ（Ｌｉｇｈｔ  Ｅｍｉｔｔｉｎｇ  Ｄｉｏｄｅ）が用いられる。
【００２８】
ディスプレイ１４０ａは、液晶ディスプレイで構成される。ディスプレイ１４０ａは、バックライト１３０ａからの出力光を部分的に遮ったり透過させたりすることによって表示を行う。
【００２９】
また、ディスプレイ１４０ａの表面には、特定のパターンが形成される。たとえば、ディスプレイ１４０ａの表面には、赤外線を吸収する点（ドット）形状の塗料が、所定の規則で配置されて形成される。
【００３０】
図２は、ディスプレイ１４０ａの表面に形成されるパターンの一例を示す図である。図２に示されるとおり、ディスプレイ１４０ａの表面は複数のブロックに分割され、各ブロックに形成されるドット（赤外線を吸収する点）の個数は異なる。そのため、ディスプレイ１４０ａの表面には位置によって異なる模様（パターン）が形成される。そして、識別装置２００側で当該模様（パターン）が認識されることにより、ディスプレイ１４０ａ上における識別装置２００の位置や動きが特定可能になる。
【００３１】
＜バックライト変調回路１２０＞
次に、バックライト変調回路１２０について詳細に説明する。
【００３２】
３台の表示装置１００ａ、１００ｂ、１００ｃにそれぞれ備わるバックライト変調回路１２０ａ、１２０ｂ、１２０ｃは、正弦波信号発生回路１１０ａ、１１０ｂ、１１０ｃから入力される特定信号の特徴（たとえば、周波数）が異なる点を除き同様の構成である。したがって、以下では、代表して第１表示装置１００ａに備わるバックライト変調回路１２０ａについてのみ説明する。
【００３３】
図３は、バックライト変調回路１２０ａの詳細なハードウェア構成の一例を示す図である。
【００３４】
なお、本実施形態の表示装置１００ａは、ディスプレイ１４０ａを均等に照明するため、複数系統のバックライト１３０ａを搭載している。図３に示す例では、４系統のバックライト１３０ａが搭載されている。
【００３５】
そこで、本実施形態のバックライト変調回路１２０ａは、図３に示されるとおり、信号分配器１２１ａと、４系統の増幅器（Ａｍｐｌｉｆｉｅｒ）１２２ａと、４系統のインターフェース（Ｉ／Ｆ）１２３ａと、を有する。
【００３６】
信号分配器１２１ａは、正弦波信号発生回路１１０ａから入力された特定信号を、４系統の増幅器１２２ａにそれぞれ分配する。
【００３７】
各増幅器１２２ａは、信号分配器１２１ａから供給された特定信号を、輝度変調に必要な電力を得るために増幅し、対応するインターフェース１２３ａへそれぞれ供給する。
【００３８】
また、図１には示されていないが、各表示装置１００ａ、１００ｂ、１００ｃには、それぞれのバックライト１３０ａ、１３０ｂ、１３０ｃを駆動するためのバックライト駆動回路１２５ａ、１２５ｂ、１２５ｃが設けられている。
【００３９】
そして、バックライト駆動回路１２５ａは、４系統のインターフェース１２３ａに対して同一の駆動信号をそれぞれ供給する。ここで、バックライト駆動回路１２５ａが各インターフェース１２３ａに供給する駆動信号は、たとえば、直流電流でよい。もちろん、これに限らず、パルス信号であってもよい。
【００４０】
このようにして、４系統の各インターフェース１２３ａには、バックライト駆動回路１２５ａからの駆動信号と、増幅器１２２ａからの特定信号と、が入力される。
【００４１】
各インターフェース１２３ａは、たとえば、トランス結合回路あるいはコンデンサ結合回路によって構成され、入力された駆動信号と特定信号を交流結合（単に、「合成」、「加算」ともいう）し、対応するバックライト１３０ａに供給する。
【００４２】
こうした動作により、バックライト駆動回路１２５ａから入力された駆動信号は、表示装置１００ごとに固有の特定信号で輝度変調され、バックライト１３０ａに供給される。
【００４３】
そして、バックライト１３０ａは、特定信号によって輝度変調された駆動信号が供給されると、供給された駆動信号に基づき、出力光（光信号）を発する。
【００４４】
なお、インターフェース１２３ａによって輝度変調された駆動信号には、バックライト駆動回路１２５ａで発生した直流電流成分（または、パルス信号成分）と、正弦波信号発生回路１１０ａで発生した正弦波成分と、が含まれている。
【００４５】
したがって、バックライト１３０ａは、駆動信号に含まれる直流成分で決まる一定の平均輝度を有しながら、表示装置１００ごとに異なる正弦波成分で輝度が瞬時変化する光信号を出力することになる。
【００４６】
＜識別装置２００＞
次に、識別装置２００について説明する。
【００４７】
識別装置２００は、図１に示されるとおり、第１センサ２１０ａと、第１増幅器２２０ａと、第１Ａ／Ｄ変換器２３０ａと、第２センサ２１０ｂと、第２増幅器２２０ｂと、第２Ａ／Ｄ変換器２３０ｂと、制御装置２４０と、通信装置２５０と、を有する。
【００４８】
第１センサ２１０ａは、複数のフォトダイオードが配列された構成からなり、たとえば、赤外領域の光（赤外線）を受光して電気信号に変換し、複数の増幅器からなる第１増幅器２２０ａに供給する。
【００４９】
第１増幅器２２０ａは、第１センサ２１０ａで受光した赤外線の解析に必要な電力を得るために増幅し、複数のＡ／Ｄ変換器からなる第１Ａ／Ｄ変換器２３０ａに供給する。
【００５０】
第１Ａ／Ｄ変換器２３０ａは、第１増幅器２２０ａから供給された信号を、アナログ信号からデジタル信号へと変換する。そして、第１Ａ／Ｄ変換器２３０ａは、変換後のデジタル信号を、制御装置２４０に送信する。
【００５１】
なお、第１センサ２１０ａは、例えば、ＣＣＤカメラなどのイメージセンサで構成することができ、この場合は、第１増幅器２２０ａと、第１Ａ／Ｄ変換器２３０ａの機能は第１センサ２１０ａに含まれる。
【００５２】
また、第２センサ２１０ｂは、たとえば、１つのフォトダイオードから構成され、ディスプレイ１４０ａ、１４０ｂ、１４０ｃから発された光信号を受光して電気信号に変換する。そして、第２センサ２１０ｂは、変換された電気信号を第２増幅器２２０ｂに供給する。
【００５３】
第２増幅器２２０ｂは、第２センサ２１０ｂで受光した光信号の解析に必要な電力を得るために増幅し、第２Ａ／Ｄ変換器２３０ｂに供給する。
【００５４】
第２Ａ／Ｄ変換器２３０ｂは、第２増幅器２２０ｂから供給された信号を、アナログ信号からデジタル信号へと変換する。そして、第２Ａ／Ｄ変換器２３０ｂは、変換後のデジタル信号を、制御装置２４０に送信する。
【００５５】
これらの構成により、制御装置２４０には、第１センサ２１０ａで受光された赤外線に対応するデジタル信号と、第２センサ２１０ｂで受光された光信号に対応するデジタル信号と、が入力される。
【００５６】
制御装置２４０は、不図示のＣＰＵ（Ｃｅｎｔｒａｌ  Ｐｒｏｃｅｓｓｉｎｇ  Ｕｎｉｔ）や、当該ＣＰＵの動作に必要な各種メモリー等によって実現され、識別装置２００全体の動作を制御する。
【００５７】
たとえば、制御装置２４０は、第１Ａ／Ｄ変換器２３０ａから入力されたデジタル信号を解析して、ディスプレイ１４０ａ、１４０ｂ、１４０ｃの表面に形成されたパターンを認識する。ここで、ディスプレイ１４０ａ、１４０ｂ、１４０ｃの表面に形成されたパターンを認識する方法としては、周知の技術を用いればよく、たとえば、エッジ検出等の技術によりパターンを認識する。そして、制御装置２４０は、認識されたパターンがディスプレイ１４０ａ、１４０ｂ、１４０ｃ上のどの位置にあるのか特定する。これにより、制御装置２４０は、ディスプレイ１４０ａ、１４０ｂ、１４０ｃ上における識別装置２００の位置を特定できる。もちろん、連続して識別装置２００の位置を特定することにより、識別装置２００の動きも特定できる。
【００５８】
また、制御装置２４０は、第２Ａ／Ｄ変換部２３０ｂから入力されたデジタル信号を解析して、識別装置２００の先端部分が向けられている先にあるディスプレイ１４０ａ、１４０ｂ、１４０ｃを識別する。たとえば、制御装置２４０は、第２Ａ／Ｄ変換部２３０ｂから入力されたデジタル信号を、ＦＦＴ（Ｆａｓｔ  Ｆｏｕｒｉｅｒ  Ｔｒａｎｓｆｏｒｍ）などの周波数分析処理によって、第２センサ２１０ｂで受光した光信号の周波数スペクトルを求める。もっとも、周波数ｆ１、ｆ２、ｆ３のそれぞれに相当する周波数成分の強さを求めるだけでもよい。そして、制御装置２４０は、周波数ｆ１、ｆ２、ｆ３のうち、最大の強さの周波数成分の正弦波信号を発生している表示装置１００ａ、１００ｂ、１００ｃを、識別装置２００の先端部分が向けられている先にある表示装置とみなす。
【００５９】
以下、図４、図５に示す具体例を用いて説明する。
【００６０】
図４は、正弦波信号発生回路１１０ａ、１１０ｂ、１１０ｃがそれぞれ発生する正弦波信号の周波数スペクトル例を示すグラフである。また、図５は、識別装置２００で受光した光信号の周波数スペクトル例を示すグラフである。
【００６１】
第１正弦波信号発生回路１１０ａは、周波数ｆ１の正弦波信号を発生しているため、正弦波信号発生回路１１０ａが発生する正弦波信号の周波数スペクトルは、図４の左図に示されるグラフのようになる。同様に、第２正弦波信号発生回路１１０ｂは、周波数ｆ２の正弦波信号を発生しているため、正弦波信号発生回路１１０ｂが発生する正弦波信号の周波数スペクトルは、図４の中図に示されるグラフのようになる。第３正弦波信号発生回路１１０ｃは、周波数ｆ３の正弦波信号を発生しているため、正弦波信号発生回路１１０ｃが発生する正弦波信号の周波数スペクトルは、図４の右図に示されるグラフのようになる。
【００６２】
識別装置２００が表示装置１００の表面に接触して（表面をなぞって）使用される場合、識別装置２００は、図４に示すように、いずれかの周波数スペクトルだけを検知できる。
【００６３】
また、識別装置２００が表示装置１００の表面とは接触せずに離れて使用される場合、識別装置２００は、複数の表示装置から複数の周波数スペクトルを受光する場合がある。たとえば、図５に示されるようなグラフとなるとき、すなわち、最大の強さの周波数成分が周波数ｆ３であるとき、制御装置２４０は、識別装置２００の先端部分が向けられている先には、第３表示装置１００ｃがあるものと判定する。
【００６４】
また、制御装置２４０は、識別装置２００の先端部分が向けられていると判定された表示装置にあらかじめ割り当てられている識別番号を、通信装置２５０へ通知する。
【００６５】
通信装置２５０は、各表示装置１００ａ、１００ｂ、１００ｃと個別に通信を行うインターフェースである。たとえば、通信装置２５０は、無線通信によって、制御装置２４０から通知された表示装置の識別番号を、その識別番号で識別される表示装置１００ａ、１００ｂ、１００ｃに送信する。このとき、通信装置２５０は、その識別番号に他の情報を付加して送信してもよい。たとえば、通信装置２５０は、その識別番号で識別される表示装置１００ａ、１００ｂ、１００ｃを操作するための操作信号をさらに付加してもよい。この操作信号には、たとえば、チャンネルを変更する信号やボリュームを変更する信号などが含まれる。
【００６６】
なお、図１には示されていないが、各表示装置１００ａ、１００ｂ、１００ｃにおいても、識別装置２００と通信を行うための通信装置が備えられているものとする。
【００６７】
以上のような表示装置１００および識別装置２００を、表示装置識別システム１は有している。特に、第１表示装置１００ａは、バックライト変調回路１２０ａを備え、バックライト１３０ａ（光源）を駆動するための駆動信号に、識別装置２００と通信可能な範囲にある他の表示装置１００ｂ、１００ｃとは異なる特定信号を合成する、という特徴を有する。これにより、バックライト１３０ａの出力光は、その輝度変化が視聴者に認識されない範囲で輝度変調される。同様に、第２表示装置１００ｂ、第３表示装置１００ｃにおいても、バックライト１３０ｂ、１３０ｃの出力光は、他の表示装置とは異なる特定信号で輝度変調される。その結果、各表示装置１００ａ、１００ｂ、１００ｃは、相互に異なる周期で輝度が瞬時変化する光信号を出力できる。また、識別装置２００側では、これらの表示装置１００ａ、１００ｂ、１００ｃのうち少なくとも１台の表示装置１００から出力された光信号を受光して解析することにより、識別装置２００の先端部分が向けられている先の表示装置１００を識別することができる。
【００６８】
また、以上のような構成によれば、各表示装置１００ａ、１００ｂ、１００ｃを識別するための信号装置装置（たとえば、無線送信器や赤外線送信機）を追加装備する必要がなく、簡易な構成によって各表示装置１００ａ、１００ｂ、１００ｃを識別できる。
【００６９】
また、バックライト１３０ａ、１３０ｂ、１３０ｃの平均輝度を変えることなく、かつ、高い周波数で輝度変調を行っているため、その輝度変化が視聴者に認識されることはない。すなわち、画像表示の品質に影響を及ぼすことなく、各表示装置１００ａ、１００ｂ、１００ｃを識別することができる。
【００７０】
なお、表示装置１００および識別装置２００は、上記構成要素以外の構成要素を含んでいてもよく、あるいは、上記構成要素のうちの一部が含まれていなくてもよい。
【００７１】
また、図１に示される例では、３台の表示装置１００と、１台の識別装置２００しか示されていないが、これに限定されず、表示装置識別システム１は、２台の表示装置１００だけで構成されてもよいし、４台以上の表示装置１００が含まれていてもよい。もちろん、複数台の識別装置２００が含まれていてもよい。
【００７２】
＜変形例＞
また、上記の実施形態は、本発明の要旨を例示することを意図し、本発明を限定するものではない。多くの代替物、修正、変形例は当業者にとって明らかである。
【００７３】
たとえば、上記実施形態では、識別装置２００としてライトペンを挙げているが、これに限定されない。識別装置２００は、携帯端末、リモートコントローラーであってもよい。なお、携帯端末には、携帯電話、スマートフォン、タブレット型ＰＣ（Ｐｅｒｓｏｎａｌ  Ｃｏｍｐｕｔｅｒ）、ノートＰＣ、ＰＤＡ（Ｐｅｒｓｏｎａｌ  Ｄｉｇｉｔａｌ  Ａｓｓｉｓｔａｎｔ）、電子ペーパー等が含まれ、携帯型の電子機器であればどのような名称、形態であってもよい。
【００７４】
また、上記実施形態では、各正弦波信号発生回路１１０ａ、１１０ｂ、１１０ｃは、相互に異なる周波数ｆ１、ｆ２、ｆ３の正弦波信号を発生している。しかし、本発明は、これに限定されず、各正弦波信号発生回路１１０ａ、１１０ｂ、１１０ｃは、相互に異なる位相の正弦波信号を発生するようにしてもよい。これにより、各表示装置１００ａ、１００ｂ、１００ｃのバックライト１３０ａ、１３０ｂ、１３０ｃは、相互に異なる位相の光信号を出力できるようになる。識別装置２００側では、このような光信号を受信し、基準となる位相の正弦波信号と比較することによって、識別装置２００の先端部分が向けられている先の表示装置１００ａ、１００ｂ、１００ｃを識別できる。
【００７５】
また、各正弦波信号発生回路１１０ａ、１１０ｂ、１１０ｃは、相互に異なる振幅の正弦波信号を発生するようにしてもよい。これにより、各表示装置１００ａ、１００ｂ、１００ｃのバックライト１３０ａ、１３０ｂ、１３０ｃは、相互に異なる振幅の光信号を出力できるようになる。識別装置２００側では、このような光信号を受信し、あらかじめ表示装置１００ａ、１００ｂ、１００ｃごとに定められている振幅の値と比較することによって、識別装置２００の先端部分が向けられている先の表示装置１００ａ、１００ｂ、１００ｃを識別できる。
【００７６】
また、上記実施形態では、正弦波信号を用いてバックライト１３０ａ、１３０ｂ、１３０ｃから出力させる光について輝度変調している。しかし、本発明は、これに限定されない。たとえば、表示装置１００ａ、１００ｂ、１００ｃごとにあらかじめ異なるＩＤ番号（ディスプレイＩＤ）を割り当てておき、そのＩＤ番号によってバックライト１３０ａ、１３０ｂ、１３０ｃから出力させる光について輝度変調してもよい。
【００７７】
たとえば、各表示装置１００ａ、１００ｂ、１００ｃに割り当てるＩＤ番号として、ＰＮ符号やＷａｌｓｈ符号など、相関特性の良好な符号を用いてもよい。そして、バックライト１３０ａ、１３０ｂ、１３０ｃの駆動信号を、その符号によって変調すればよい。これにより、表示装置１００ａ、１００ｂ、１００ｃごとに異なるＮＲＺ信号やＭＮ信号を含む光信号が出力される。このとき、識別装置２００側では、ＮＲＺ信号やＭＮ信号を含む光信号を受光し、各符号に対応する複数の相関器により元のＰＮ符号やＷａｌｓｈ符号を抽出できる。その結果、識別装置２００の先端部分が向けられている先の表示装置１００ａ、１００ｂ、１００ｃを識別できる。
【００７８】
また、各正弦波信号発生回路１１０ａ、１１０ｂ、１１０ｃは、各表示装置１００ａ、１００ｂ、１００ｃに割り当てられているＩＤ番号そのものによって、バックライト１３０ａ、１３０ｂ、１３０ｃの駆動信号を周波数変調、または位相変調してもよい。
【００７９】
図６は、ＩＤ番号（ディスプレイＩＤ）により周波数変調されたバックライト（光信号）の例を示す図である。図示する例のように、ＩＤ番号「１０１１」に従って、バックライト１３０ａ、１３０ｂ、１３０ｃの光信号は、所定の時間間隔で周波数が変化するように周波数変調される。これにより、識別装置２００側では、周波数変調された光信号を受光し、復調することによってＩＤ番号を抽出することができる。その結果、識別装置２００の先端部分が向けられている先の表示装置１００ａ、１００ｂ、１００ｃを識別できる。
【００８０】
また、図７は、ＩＤ番号（ディスプレイＩＤ）により位相変調されたバックライト（光信号）の例を示す図である。図示する例のように、ＩＤ番号「１０１１」に従って、バックライト１３０ａ、１３０ｂ、１３０ｃの光信号は、所定の時間間隔で位相が変化するように位相変調される。これにより、識別装置２００側では、位相変調された光信号を受光し、復調することによってＩＤ番号を抽出することができる。その結果、識別装置２００の先端部分が向けられている先の表示装置１００ａ、１００ｂ、１００ｃを識別できる。
【００８１】
以上の表示装置識別システム１の構成は、上記の実施形態の特徴を説明するにあたって主要構成を説明したのであって、上記の構成に限られない。また、一般的な表示装置１００、識別装置２００が備える構成を排除するものではない。
【００８２】
また、上記した表示装置識別システム１の各機能構成は、各機能構成を理解容易にするために、主な処理内容に応じて分類したものである。構成要素の分類の仕方や名称によって、本願発明が制限されることはない。各機能構成は、処理内容に応じて、さらに多くの構成要素に分類することもできる。また、１つの構成要素がさらに多くの処理を実行するように分類することもできる。
【００８３】
また、識別装置２００の制御装置２４０は、ＣＰＵ以外の専用のハードウェア回路によっても実現することもできる。この場合には、１つのハードウェアで実行されてもよいし、複数のハードウェアで実行されてもよい。
【００８４】
また、上記実施形態では、複数の表示装置１００が並べて配置される電子黒板の例について説明しているが、複数の表示装置１００は、離れた場所に設置されていてもよい。
【００８５】
また、上記実施形態では、バックライトを有する液晶ディスプレイについて説明しているが、有機ＥＬディスプレイを用いてもよい。ただし、有機ＥＬは、自発光方式であるためバックライトを備える必要はなく、この場合には、有機ＥＬを発光させる駆動信号に、表示装置１００ごとに異なる特定信号を合成することによって、同様の効果を得ることができる。
【符号の説明】
【００８６】
１  表示装置識別システム、
１００  表示装置、
１１０  正弦波信号発生回路、
１２０  バックライト変調回路、
１２１  信号分配器、
１２２  増幅器、
１２３  インターフェース、
１２５  バックライト駆動回路、
１３０  バックライト、
１４０  ディスプレイ、
２００  識別装置、
２１０  センサ、
２２０  増幅器、
２３０  Ａ／Ｄ変換器、
２４０  制御装置、
２５０  通信装置。
【図１】
2014041540.tif 000003
【図２】
2014041540.tif 000004
【図３】
2014041540.tif 000005
【図４】
2014041540.tif 000006
【図５】
2014041540.tif 000007
【図６】
2014041540.tif 000008
【図７】
2014041540.tif 000009